(57)【特許請求の範囲】
【請求項１】
少なくとも、ほぼ矩形状の複数の収納ベース部と、該複数の収納ベース部を上側と下側とからはさむ関係に配置された複数の折り返し部とを有している１枚の板紙からなるブランクで構成されたディスク収納ケースであって、前記複数の収納ベース部を、折れ線を介して一方向に連設し、前記複数の折り返し部を前記複数の収納ベース部の同一の側に折り返して前記複数の収納ベース部との間にディスク収納用のポケットを形成し、かつ、前記複数の収納ベース部を蛇腹状に折り畳んで形成してなることを特徴とするディスク収納ケース。
【請求項２】
前記複数の折り返し部または前記複数の収納ベース部において、折り畳む際に、内側の二重の折れ線の間の一部を含む形状の折り返し用孔を設けたことを特徴とする請求項１に記載のディスク収納ケース。
【請求項３】
前記複数の収納ベース部において、一方の端部の収納ベース部の外側の辺にカバー部を連設し、前記複数の収納ベース部を折り畳んだ時に、他方の端部の収納ベース部に前記カバー部の角部を差し込み可能な差し込み口を設けたことを特徴とする請求項１又は２に記載のディスク収納ケース。
【請求項４】
前記複数の収納ベース部において、一方の端部の収納ベース部の外側の辺にカバー部を連設し、該カバー部の外側の辺に先端に差し込み片を設けた差し込み部を連設し、前記複数の収納ベース部を折り畳んだ時に、前記差し込部が重なる収納ベース部に前記差し込み片が差し込み可能な差し込み口を設けたことを特徴とする請求項１又は２に記載のディスク収納ケース。
【発明の詳細な説明】
【０００１】
【産業上の利用分野】
本発明は、コンパクトディスク等のディスク状記録媒体（以下ディスクと略称する）を収容するためのディスク収納ケースに関する。
【０００２】
【従来の技術】
従来、ディスクを収納するケースは、プラスチックの成型によって作られた薄い箱状の収納部材と、その一端に回動可能に取り付けられた蓋とを備えており、且つ前記収納部材には、ディスクを収容する円形の凹部と、その中央に形成されディスク中央孔に嵌合させるためのロック等を備えている。しかし、かかる従来のディスク収納ケースは、プラスチックの成型品であるため、コストがかかるという問題があった。また、印刷を施すことが困難であるので、宣伝、説明等のためには印刷した紙を中に入れることが必要であり、この点からもコスト高となっていた。さらに、廃棄する際焼却が困難であるので、環境問題を生じるという問題もあった。これらの問題を解決するために、材料としてプラスチックを使用せずに、紙を使用した形態のディスク収納ケースも種々開示されている。本出願人も特開平７−２０６０７１号公報において、１枚の板紙からなるブランクで構成されたディスク収納ケースを開示している。
【０００３】
【発明が解決しようとする課題】
しかしながら、従来収納ケースでは、複数枚のディスクをより紙の使用量が少なく、簡便に作成できる形態の収納ケースではなかった。
【０００４】
本発明は、このような背景に鑑みてなされたものであり、その目的とするところは、紙を使用することにより、コストダウンを図ると共に、印刷を可能とし、容易に焼却廃棄することを可能とし、かつ、複数枚のディスクを簡単に収納すことが可能で、紙の使用量を少なく、接着加工を行うことなく簡便に作成できる形態のディスク収納ケースを提供することである。
【０００５】
【課題を解決するための手段】
上記課題を解決すべくなされた本発明は、少なくとも、ほぼ矩形状の複数の収納ベース部と、該複数の収納ベース部を上側と下側とからはさむ関係に配置された複数の折り返し部とを有している１枚の板紙からなるブランクで構成されたディスク収納ケースであって、前記複数の収納ベース部を、折れ線を介して一方向に連設し、前記複数の折り返し部を前記複数の収納ベース部の同一の側に折り返して前記複数の収納ベース部との間にディスク収納用のポケットを形成し、かつ、前記複数の収納ベース部を蛇腹状に折り畳んで形成してなることを特徴とするディスク収納ケースである。また、前記複数の折り返し部または前記複数の収納ベース部において、折り畳む際に、内側の二重の折れ線の間の一部を含む形状の折り返し用孔を設けたことを特徴とする。さらに、前記複数の収納ベース部において、一方の端部の収納ベース部の外側の辺にカバー部を連設し、前記複数の収納ベース部を折り畳んだ時に、他方の端部の収納ベース部に前記カバー部の角部を差し込み可能な差し込み口を設けたことを特徴とする。さらにまた、前記複数の収納ベース部において、一方の端部の収納ベース部の外側の辺にカバー部を連設し、該カバー部の外側の辺に先端に差し込み片を設けた差し込み部を連設し、前記複数の収納ベース部を折り畳んだ時に、前記差し込部が重なる収納ベース部に前記差し込み片が差し込み可能な差し込み口を設けたことを特徴とする。
【０００６】
本発明によれば、上記構成のディスク収納ケースは、１枚の平坦な紙製のブランクから作られており、紙を使用することにより、コストダウンを図ると共に、印刷を可能とし、容易に焼却廃棄することの可能とし、かつ、複数枚のディスクを簡単に収納すことが可能で、紙の使用量を少なく、接着加工を行うことなく簡便に作成できる形態のディスク収納ケースを得ることができる。
【０００７】
【発明の実施の形態】
以下、図面において本発明の実施の形態を説明するが、幾つかの図面に渡って同一あるいは同様な部分には同一の符号を付けて示している。
【０００８】
図１−ａは本発明のディスク収納ケースにおける第一の実施の形態の一実施例のブランクを展開して示す概略平面図であり、図１−ｂはそのブランクの折り返し部を折り返した状態を示す概略平面図である。本実施例のディスク収納ケースＡは、図１−ａに示す形状の１枚の板紙からなるブランク１Ａで構成される。
【０００９】
ここでブランク１Ａに使用される板紙は、後述するようにディスクを収容する状態に組み立てた時に、ディスクを保護しうるよう適度な剛性を備えたものであり、好ましくは厚みが０．２〜１．０ｍｍ程度、更に好ましくは０．３〜０．５ｍｍ程度のものが使用される。また、好適な板紙の主な種類としては、マニラボール（アイボリー、カード紙等）や白ボール等の白板紙、或いは、コートボール等を挙げることができる。
【００１０】
図１−ａに示しているように、ブランク１Ａには、折れ線ａ、ａ´、ｂ、ｃ、ｃ´、ｄ、ｅ、ｆ、ｇ、ｈ、ｉ、ｊ、ｋが設けられており、折れ線ａ、ａ´、ｂ、ｃ、ｃ´は、縦方向に伸び、折れ線ｄ、ｅ、ｆ、ｇ、ｈ、ｉ、ｊ、ｋは、横方向に伸びており、ブランク１Ａを収納ベース部２〜５、折り返し部６〜１３の１２の部分に分けている。折れ線ａと折れ線ａ´、折れ線ｃと折れ線ｃ´とは、厚みの分の間隔を有する二重の折れ線となっている。中央の収納ベース部２、３、４、５は、折れ線ａ、ａ´、ｂ、ｃ、ｃ´を介して、順次連設されている。また、収納ベース部２、３、４、５の上辺にはそれぞれ折れ線ｄ、ｆ、ｈ、ｊを介して折り返し部６、８、１０、１２が連設され、下辺にはそれぞれ折れ線ｅ、ｇ、ｉ、ｋを介して折り返し部７、９、１１、１３が連設されている。
【００１１】
また、上側の折り返し部６、８の間の二重の折れ線である折れ線ａと折れ線ａ´の間の一部分、上側の折り返し部１０、１２の間の二重の折れ線である折れ線ｃと折れ線ｃ´の間の一部分、下側の折り返し部７、９の間の二重の折れ線である折れ線ａと折れ線ａ´の間の一部分、そして下側の折り返し部１１、１３の間の二重の折れ線である折れ線ｃと折れ線ｃ´の間の一部分に、矩形状の折り曲げ用孔Ｐを設ける。この折り曲げ用孔Ｐを設ける位置は、横方向の折れ線ｄ、ｅ、ｆ、ｇ、ｈ、ｉ、ｊ、ｋに接するように設けてもよく、離れた位置に設けてもよい。また、折れ線ａと折れ線ａ´の間の部分および折れ線ｃと折れ線ｃ´の間の部分の幅より広い形状に設けることもできる。この折り曲げ用孔Ｐは、図１−ｂに示すブランク１Ａ´の収納ベース部２、３、４、５を、折れ線ａ、ａ´、ｂ、ｃ、ｃ´に沿って折り曲げる時に内側となる折り返し部６、７、８、９、１０、１１、１２、１３が良好に折り曲げられるように設けられるものである。
【００１２】
つぎに、このブランク１Ａは、図１−ｂに示すように、上側の折れ線ｄ、ｆ、ｈ、ｊにより折り返し部６、８、１０、１２が収納ベース部２、３、４、５の内側の面に折り返され、下側の折れ線ｅ、ｇ、ｉ、ｋにより折り返し部７、９、１１、１３が収納ベース部２、３、４、５の内側の面に折り返されブランク１Ａ´となる。
【００１３】
ここで、折り返し部６、７、８、９、１０、１１、１２、１３は、折り返された時に折れ線ａ、ａ´、ｃ、ｃ´の近傍のみで端縁が突き合わせ状態となるが、その他の部分では大きく離れ、収納ベース部２、３、４、５と折り返し部６、７、８、９、１０、１１、１２、１３との間に形成されるディスク収納用のポケットに収納されたディスクＯあるいは歌詞カード等の収納物の出し入れを容易に行うことができるように形状および寸法が定められている。
【００１４】
さらに、折り返し部６、７、８、９、１０、１１、１２、１３が収納ベース部２、３、４、５の内面に折り返されたブランク１Ａ´を折れ線ａ、ａ´、ｂ、ｃ、ｃ´で蛇腹状に折り畳んで、図５−ａに示すようなディスク収納ケースＡを形成する。
【００１５】
図２−ａは本発明のディスク収納ケースにおける第二の実施の形態の一実施例のブランクを展開して示す概略平面図であり、図２−ｂはそのブランクの折り返し部を折り返した状態を示す概略平面図である。
【００１６】
この実施例のディスク収納ケースＢも、先の実施例と同様に、図２−ａに示す形状の１枚の板紙からなるブランク１Ｂで構成されるが、その形状はブランク１Ａとも若干異なっている。
【００１７】
すなわち、図２−ａに示しているように、ブランク１Ｂも、ブランク１Ａと同様に、折れ線ａ、ａ´、ｂ、ｃ、ｃ´、ｄ、ｅ、ｆ、ｇ、ｈ、ｉ、ｊ、ｋが設けられており、折れ線ａ、ａ´、ｂ、ｃ、ｃ´は、縦方向に伸び、折れ線ｄ、ｅ、ｆ、ｇ、ｈ、ｉ、ｊ、ｋは、横方向に伸びており、ブランク１Ｂを収納ベース部２〜５、折り返し部６〜１３の１２の部分に分けている。中央の収納ベース部２、３、４、５は、折れ線ａ、ａ´、ｂ、ｃ、ｃ´を介して、順次連設されている。そして、収納ベース部２、５の側部には凹部Ｒが設けられ、また、収納ベース部３、４に跨って、窓部Ｓが設けられている。さらに、ブランク１Ａと同様に、収納ベース部２、３、４、５の上辺にはそれぞれ折れ線ｄ、ｆ、ｈ、ｊを介して折り返し部６、８、１０、１２が連設され、下辺にはそれぞれ折れ線ｅ、ｇ、ｉ、ｋを介して折り返し部７、９、１１、１３が連設されている。
【００１８】
また、収納ベース部２、３の間の二重の折れ線である折れ線ａと折れ線ａ´の間の一部分、収納ベース部４、５の間の二重の折れ線である折れ線ｃと折れ線ｃ´の間の一部分に、矩形状の折り曲げ用孔Ｑを設ける。この折り曲げ用孔Ｑを設ける位置は、横方向の折れ線ｄ、ｅ、ｆ、ｇ、ｈ、ｉ、ｊ、ｋに接するように設けてもよく、離れた位置に設けてもよい。また、折れ線ａと折れ線ａ´の間の部分および折れ線ｃと折れ線ｃ´の間の部分の幅より広い形状に設けることもできる。この折り曲げ用孔Ｑは、図２−ｂに示すブランク１Ｂ´の収納ベース部２、３、４、５を、折れ線ａ、ａ´、ｂ、ｃ、ｃ´に沿って折り曲げる時に内側となる収納ベース部２、３、４、５が良好に折り曲げられるように設けられるものである。
【００１９】
第二の形態が第一の形態と異なる点は、このブランク１Ｂは、図２−ｂに示すように、上側の折れ線ｄ、ｆ、ｈ、ｊにより折り返し部６、８、１０、１２が収納ベース部２、３、４、５の外側の面に折り返され、下側の折れ線ｅ、ｇ、ｉ、ｋにより折り返し部７、９、１１、１３が収納ベース部２、３、４、５の外側の面に折り返されブランク１Ｂ´となる点である。
【００２０】
ここで、折り返し部６、７、８、９、１０、１１、１２、１３は、折り返された時に全面で端縁が突き合わせ状態となるが、収納ベース部２、５の側部には凹部Ｒが設けられ、また、収納ベース部３、４に跨って、窓部Ｓが設けられていることから、この収納ケースＢでは、収納ベース部２、３、４、５と折り返し部６、７、８、９、１０、１１、１２、１３との間に形成されるディスク収納用のポケットに収納されたディスクＯあるいは歌詞カード等の収納物の出し入れを容易に行うことができる。
【００２１】
さらに、折り返し部６、７、８、９、１０、１１、１２、１３が収納ベース部２、３、４、５の外面に折り返されたブランク１Ｂ´を折れ線ａ、ａ´、ｂ、ｃ、ｃ´で蛇腹状に折り畳んで、図５−ｂに示すようなディスク収納ケースＢを形成する。
【００２２】
図３−ａは本発明のディスク収納ケースにおける第三の実施の形態の一実施例のブランクを展開して示す概略平面図であり、図３−ｂはそのブランクの折り返し部を折り返した状態を示す概略平面図である。
【００２３】
この実施例のディスク収納ケースＣも、先の実施例と同様に、図３−ａに示すような１枚の板紙からなるブランク１Ｃで構成されるが、その形状は若干異なっている。
【００２４】
すなわち、図３−ａに示しているように、ブランク１Ｃも、ブランク１Ａと同様に、折れ線ａ、ａ´、ｂ、ｃ、ｃ´、ｄ、ｅ、ｆ、ｇ、ｈ、ｉ、ｊ、ｋが設けられており、折れ線ａ、ａ´、ｂ、ｃ、ｃ´は、縦方向に伸び、折れ線ｄ、ｅ、ｆ、ｇ、ｈ、ｉ、ｊ、ｋは、横方向に伸びており、ブランク１Ｃを収納ベース部２〜５、折り返し部６〜１３の１２の部分に分けている。中央の収納ベース部２、３、４、５は、折れ線ａ、ａ´、ｂ、ｃ、ｃ´を介して、順次連設されている。そして、収納ベース部２、５の側辺部には凹部Ｒが設けられ、また、収納ベース部３、４に跨って、窓部Ｓが設けられている。さらに、ブランク１Ａと同様に、収納ベース部２、３、４、５の上辺にはそれぞれ折れ線ｄ、ｆ、ｈ、ｊを介して折り返し部６、８、１０、１２が連設され、下辺にはそれぞれ折れ線ｅ、ｇ、ｉ、ｋを介して折り返し部７、９、１１、１３が連設されている。
【００２５】
また、第一の形態と同様に、上側の折り返し部６、８の間の二重の折れ線である折れ線ａと折れ線ａ´の間の一部分、上側の折り返し部１０、１２の間の二重の折れ線である折れ線ｃと折れ線ｃ´の間の一部分、下側の折り返し部７、９の間の二重の折れ線である折れ線ａと折れ線ａ´の間の一部分、下側の折り返し部１１、１３の間の二重の折れ線である折れ線ｃと折れ線ｃ´の間の一部分に、矩形状の折り曲げ用孔Ｐを設ける。この折り曲げ用孔Ｐを設ける位置は、横方向の折れ線ｄ、ｅ、ｆ、ｇ、ｈ、ｉ、ｊ、ｋに接するように設けてもよく、離れた位置に設けてもよい。また、折れ線ａと折れ線ａ´の間の部分および折れ線ｃと折れ線ｃ´の間の部分の幅より広い形状に設けることもできる。この折り曲げ用孔Ｐは、図３−ｂに示すブランク１Ｃ´の収納ベース部２、３、４、５を、折れ線ａ、ａ´、ｂ、ｃ、ｃ´に沿って折り曲げる時に内側となる折り返し部６、７、８、９、１０、１１、１２、１３が良好に折り曲げられるように設けられるものである。
【００２６】
つぎに、このブランク１Ｃは、図３−ｂに示すように、上側の折れ線ｄ、ｆ、ｈ、ｊにより折り返し部６、８、１０、１２が収納ベース部２、３、４、５の内側の面に折り返され、下側の折れ線ｅ、ｇ、ｉ、ｋにより折り返し部７、９、１１、１３が収納ベース部２、３、４、５の内側の面に折り返されブランク１Ｃ´となる。
【００２７】
ここで、折り返し部６、７、８、９、１０、１１、１２、１３は、折り返された時に折れ線ａ、ａ´、ｃ、ｃ´の近傍のみで端縁が突き合わせ状態となるが、その他の部分では大きく離れ、収納ベース部２、５の側部には凹部Ｒが設けられ、また、収納ベース部３、４に跨って、窓部Ｓが設けられていることから、この収納ケースＣでは、収納ベース部２、３、４、５と折り返し部６、７、８、９、１０、１１、１２、１３との間に形成されるディスク収納用のポケットに収納されたディスクＯあるいは歌詞カード等の収納物の出し入れを容易に行うことができる。
【００２８】
さらに、折り返し部６、７、８、９、１０、１１、１２、１３が収納ベース部２、３、４、５の内面に折り返されたブランク１Ｃ´を折れ線ａ、ａ´、ｂ、ｃ、ｃ´で蛇腹状に折り畳んで、図５−ｃに示すようなディスク収納ケースＣを形成する。
【００２９】
図４−ａは本発明のディスク収納ケースにおける第四の実施の形態の一実施例のブランクを展開して示す概略平面図であり、図４−ｂはそのブランクの折り返し部を折り返した状態を示す概略平面図である。
【００３０】
この実施例のディスク収納ケースＤも、先の実施例と同様に、図４−ａに示す形状の１枚の板紙からなるブランク１Ｄで構成されるが、その形状はブランク１Ｃとも若干異なっている。
【００３１】
すなわち、図４−ａに示しているように、ブランク１Ｄも、ブランク１Ｃと同様に、折れ線ａ、ａ´、ｂ、ｃ、ｃ´、ｄ、ｅ、ｆ、ｇ、ｈ、ｉ、ｊ、ｋが設けられており、折れ線ａ、ａ´、ｂ、ｃ、ｃ´は、縦方向に伸び、折れ線ｄ、ｅ、ｆ、ｇ、ｈ、ｉ、ｊ、ｋは、横方向に伸びており、ブランク１Ｄを収納ベース部２〜５、折り返し部６〜１３の１２の部分に分けている。中央の収納ベース部２、３、４、５は、折れ線ａ、ａ´、ｂ、ｃ、ｃ´を介して、順次連設されている。そして、収納ベース部２、５の側部には凹部Ｒが設けられ、また、収納ベース部３、４に跨って、窓部Ｓが設けられている。さらに、ブランク１Ａと同様に、収納ベース部２、３、４、５の上辺にはそれぞれ折れ線ｄ、ｆ、ｈ、ｊを介して折り返し部６、８、１０、１２が連設され、下辺にはそれぞれ折れ線ｅ、ｇ、ｉ、ｋを介して折り返し部７、９、１１、１３が連設されている。
【００３２】
また、第二の形態と同様に、収納ベース部２、３の間の二重の折れ線である折れ線ａと折れ線ａ´の間の一部分、収納ベース部４、５の間の二重の折れ線である折れ線ｃと折れ線ｃ´の間の一部分に、矩形状の折り曲げ用孔Ｑを設ける。この折り曲げ用孔Ｑを設ける位置は、横方向の折れ線ｄ、ｅ、ｆ、ｇ、ｈ、ｉ、ｊ、ｋに接するように設けてもよく、離れた位置に設けてもよい。また、折れ線ａと折れ線ａ´の間の部分および折れ線ｃと折れ線ｃ´の間の部分の幅より広い形状に設けることもできる。この折り曲げ用孔Ｑは、図４−ｂに示すブランク１Ｄ´の収納ベース部２、３、４、５を、折れ線ａ、ａ´、ｂ、ｃ、ｃ´に沿って折り曲げる時に内側となる収納ベース部２、３、４、５が良好に折り曲げられるように設けられるものである。
【００３３】
第四の形態が第三の形態と異なる点は、このブランク１Ｄは、図４−ｂに示すように、上側の折れ線ｄ、ｆ、ｈ、ｊにより折り返し部６、８、１０、１２が収納ベース部２、３、４、５の外側の面に折り返され、下側の折れ線ｅ、ｇ、ｉ、ｋにより折り返し部７、９、１１、１３が収納ベース部２、３、４、５の外側の面に折り返されブランク１Ｄ´となる点である。
【００３４】
ここで、第三の形態と同様に、折り返し部６、７、８、９、１０、１１、１２、１３は、折り返された時に折れ線ａ、ａ´、ｃ、ｃ´の近傍のみで端縁が突き合わせ状態となるが、その他の部分では大きく離れ、収納ベース部２、５の側部には凹部Ｒが設けられ、また、収納ベース部３、４に跨って、窓部Ｓが設けられていることから、この収納ケースＤでは、収納ベース部２、３、４、５と折り返し部６、７、８、９、１０、１１、１２、１３との間に形成されるディスク収納用のポケットに収納されたディスクＯあるいは歌詞カード等の収納物の出し入れを容易に行うことができる。
【００３５】
さらに、折り返し部６、７、８、９、１０、１１、１２、１３が収納ベース部２、３、４、５の外面に折り返されたブランク１Ｄ´を折れ線ａ、ａ´、ｂ、ｃ、ｃ´で蛇腹状に折り畳んで、図５−ｄに示すようなディスク収納ケースＤを形成する。
【００３６】
つぎに、このディスク収納ケースＡ、Ｂ、ＣおよびＤを製造する方法及び使用方法を説明する。まず、板紙を図１−ａ、図２−ａ、図３−ａおよび図４−ａに示す形状に打ち抜き、かつ、所定の折れ線ａ、ａ´、ｂ、ｃ、ｃ´、ｄ、ｅ、ｆ、ｇ、ｈ、ｉ、ｊ、ｋを形成してブランク１Ａ、ブランク１Ｂ、ブランク１Ｃおよびブランク１Ｄを製造する。
【００３７】
つぎに、そのブランク１Ａ、ブランク１Ｂ、ブランク１Ｃおよびブランク１Ｄの上下の折り返し部６、７、８、９、１０、１１、１２、１３を、図１−ｂ、図２−ｂ、図３−ｂおよび図４−ｂに示すように折り返し、収納ベース部２、３、４、５とその上の折り返し部６、７、８、９、１０、１１、１２、１３とが重ねられ、両者の間にディスクＯあるいは歌詞カード等を収納するポケットが形成される。
【００３８】
なお、収納ベース部２、３、４、５と折り返し部６、７、８、９、１０、１１、１２、１３とを部分的に適当な手段、例えば接着剤を用いて貼り付けてもよい。これにより、収納部ベース部２、３、４、５と折り返し部６、７、８、９、１０、１１、１２、１３との間に形成されたディスク収納用のポケットが強固に形成される。
【００３９】
ブランク１Ａ、ブランク１Ｂ、ブランク１Ｃおよびブランク１Ｄの上下の折り返し部６、７、８、９、１０、１１、１２、１３の折り返し作業および貼り付け作業等は、手作業あるいは従来行われているサック貼りの技術を用いることにより、容易に実施可能である。
【００４０】
つづいて、ブランク１Ａ、ブランク１Ｂ、ブランク１Ｃおよびブランク１Ｄを図１−ｂ、図２−ｂ、図３−ｂおよび図４−ｂに示すブランク１Ａ´、ブランク１Ｂ´、ブランク１Ｃ´およびブランク１Ｄ´の状態に折り返し部を折り畳んだ後、図５に示すように、収納ベース部２と収納ベース部３とを折れ線ａ、ａ´で内側に折り曲げ、収納ベース部３と収納ベース部４とを折れ線ｂで外側に折り曲げ、収納ベース部４と収納ベース部５とを折れ線ｃ、ｃ´で内側に折り曲げる。つまり、蛇腹状に折り畳んでいくことにより、ディスク収納ケースＡ、ディスク収納ケースＢ、ディスク収納ケースＣおよびディスク収納ケースＤが形成される。
【００４１】
かくして、ブランク１Ａ´、ブランク１Ｂ´、ブランク１Ｃ´およびブランク１Ｄ´は、図６に示すように折り畳められ、ディスク収納ケースＡ、ディスク収納ケースＢ、ディスク収納ケースＣおよびディスク収納ケースＤとなり、その収納ベース部２、３、４、５と折り返し部６、７、８、９、１０、１１、１２、１３とで形成されたディスク収納用のポケットにディスクＯあるいは歌詞カード等が収納される。そのポケットに保持されたディスクＯあるいは歌詞カード等はその両面を収納ベース部２、３、４、５と折り返し部６、７、８、９、１０、１１、１２、１３とで挟まれ、保護される。さらに、このディスク収納ケースＡ、ディスク収納ケースＢ、ディスク収納ケースＣおよびディスク収納ケースＤをシュリンク包装するかあるいは図７に示すような外箱Ｔの中に収めた後にシュリンク包装を行って包装が完了する。
【００４２】
このディスク収納ケースＡ、ディスク収納ケースＢ、ディスク収納ケースＣおよびディスク収納ケースＤを入手した者は、シュリンク包装を破り、あるいは外箱Ｔから取り出して、内部に収納しているディスクＯや歌詞カード等を取り出して使用し、使用後は、再びそのディスクＯや歌詞カード等を所定の場所に戻し、適当な場所に保管する。
【００４３】
図８−ａは本発明のディスク収納ケースにおける第五の実施の形態の一実施例のブランクを展開して示す概略平面図であり、図８−ｂはそのブランクを折り畳んだ状態を示す概略平面図である。
【００４４】
この実施例のディスク収納ケースＥも、先の実施例と同様に、図８−ａに示す形状の１枚の板紙からなるブランク１Ｅで構成されるが、その形状は先の実施例とは異なっている。
【００４５】
すなわち、図８−ａに示しているように、ブランク１Ｅは、折れ線ａ、ａ´、ｂ、ｃ、ｃ´、ｄ、ｅ、ｆ、ｇ、ｈ、ｉ、ｊ、ｋ、ｌ、ｌ´が設けられており、折れ線ａ、ａ´、ｂ、ｃ、ｃ´、ｌ、ｌ´は、縦方向に伸び、折れ線ｄ、ｅ、ｆ、ｇ、ｈ、ｉ、ｊ、ｋは、横方向に伸びており、ブランク１Ｅを収納ベース部２〜５、折り返し部６〜１３、カバー部１４の１３の部分に分けている。中央の収納ベース部２、３、４、５は、折れ線ａ、ａ´、ｂ、ｃ、ｃ´を介して、順次連設され、そして、収納ベース部５の外側に、折れ線ｌ、ｌ´を介して、収納ベース部２より小さいカバー部１４が連設されている。
【００４６】
また、第一の形態と同様に、上側の折り返し部６、８の間の二重の折れ線である折れ線ａと折れ線ａ´の間の一部分、上側の折り返し部１０、１２の間の二重の折れ線である折れ線ｃと折れ線ｃ´の間の一部分、下側の折り返し部７、９の間の二重の折れ線である折れ線ａと折れ線ａ´の間の一部分、下側の折り返し部１１、１３の間の二重の折れ線である折れ線ｃと折れ線ｃ´の間の一部分に、矩形状の折り曲げ用孔Ｐを設ける。この折り曲げ用孔Ｐを設ける位置は、横方向の折れ線ｄ、ｅ、ｆ、ｇ、ｈ、ｉ、ｊ、ｋに接するように設けてもよく、離れた位置に設けてもよい。また、折れ線ａと折れ線ａ´の間の部分および折れ線ｃと折れ線ｃ´の間の幅より広い形状に設けることもできる。この折り曲げ用孔Ｐは、図５−ｂに示すブランク１Ｅ´の収納ベース部２、３、４、５を、折れ線ａ、ａ´、ｂ、ｃ、ｃ´に沿って折り曲げる時に内側となる折り返し部６、７、８、９、１０、１１、１２、１３が良好に折り曲げられるように設けられるものである。
【００４７】
また、収納ベース部４には、切れ線により差し込み片Ｖを形成し、収納ベース部２には、カバー部１４を差し込むためのカバー部差し込み口Ｕと差し込み片Ｖを差し込むための差し込み口Ｗが切れ線により設けられている。
このカバー部１４は、図のように収納ベース部２より短くし、ブランク１Ｅ´を折り畳んだ後、収納ベース部２に設けたカバー部差し込み口Ｕに差し込まれ、カバー部１４が固定される。
【００４８】
また、ブランク１Ｅ´を蛇腹状に折り畳んだ時に、蛇腹状の収納ベース部２、３、４、５が開かないように、収納ベース部４に設けられた差し込み片Ｖは、図に示すように折れ線ｃ´から始まる舌状の形とする。一方、この差し込み片Ｖの差し込み可能な差し込み口Ｗを折れ線ａの線上のほぼ中央に設ける。そして、差し込み片Ｖを差し込み口Ｗに差し込むことによって、蛇腹状のディスク収納ケースＥが開くことなく、固定される。
【００４９】
つぎに、このブランク１Ｅは、図８−ｂに示すように、上側の折れ線ｄ、ｆ、ｈ、ｊにより折り返し部６、８、１０、１２が収納ベース部２、３、４、５の内側の面に折り返され、下側の折れ線ｅ、ｇ、ｉ、ｋにより折り返し部７、９、１１、１３が収納ベース部２、３、４、５の内側の面に折り返されブランク１Ｅ´となる。
【００５０】
ここで、折り返し部６、７、８、９、１０、１１、１２、１３は、折り返された時に折れ線ａ、ａ´、ｃ、ｃ´の近傍のみで端縁が突き合わせ状態となるが、その他の部分では大きく離れ、収納ベース部２、３、４、５と折り返し部６、７、８、９、１０、１１、１２、１３との間に形成されるディスク収納用のポケットに収納されたディスクＯあるいは歌詞カード等の収納物の出し入れを容易に行うことができる。
【００５１】
さらに、折り返し部６、７、８、９、１０、１１、１２、１３が収納ベース部２、３、４、５の内面に折り返されたブランク１Ｅ´を折れ線ａ、ａ´、ｂ、ｃ、ｃ´、ｌ、ｌ´で蛇腹状に折り畳んで、カバー部１４を収納ベース部２に設けたカバー部差し込み口Ｕに差し込み、図１０−ａに示すようなディスク収納ケースＥを形成する。
【００５２】
図９−ａは本発明のディスク収納ケースにおける第六の実施の形態の一実施例のブランクを展開して示す概略平面図であり、図９−ｂはそのブランクを折り畳んだ状態を示す概略平面図である。
【００５３】
この実施例のディスク収納ケースＦも、先の実施例と同様に、図９−ａに示す形状の１枚の板紙からなるブランク１Ｆで構成されるが、その形状は先の実施例とは異なっている。
【００５４】
すなわち、図９−ａに示しているように、ブランク１Ｆは、折れ線ａ、ａ´、ｂ、ｃ、ｃ´、ｄ、ｅ、ｆ、ｇ、ｈ、ｉ、ｊ、ｋ、ｌ、ｌ´、ｍ、ｍ´が設けられており、折れ線ａ、ａ´、ｂ、ｃ、ｃ´、ｌ、ｌ´、ｍ、ｍ´は、縦方向に伸び、折れ線ｄ、ｅ、ｆ、ｇ、ｈ、ｉ、ｊ、ｋは、横方向に伸びており、ブランク１Ｆを収納ベース部２〜５、折り返し部６〜１３、カバー部１４の１４の部分に分けている。中央の収納ベース部２、３、４、５が、折れ線ａ、ａ´、ｂ、ｃ、ｃ´を介して、順次連設され、その収納ベース部５の外側の辺に、折れ線ｌ、ｌ´を介して、カバー部１４が連設され、そしてカバー部１４の外側の辺に、差し込み部１５が連設されている。そして差し込み部１５の先端には差し込み片Ｘを設けている。また、収納ベース部５には、差し込み片Ｘを差し込むための差し込み口Ｙが設けられている。ブランク１Ｆを折り畳んだ後、この差し込み片Ｘを収納ベース部５に設けた差し込み口Ｙに差し込み固定することができる。
【００５５】
つぎに、このブランク１Ｆは、図９−ｂに示すように、上側の折れ線ｄ、ｆ、ｈ、ｊにより折り返し部６、８、１０、１２が収納ベース部２、３、４、５の内側の面に折り返され、下側の折れ線ｅ、ｇ、ｉ、ｋにより折り返し部７、９、１１、１３が収納ベース部２、３、４、５の内側の面に折り返されブランク１Ｆ´となる。
【００５６】
ここで、折り返し部６、７、８、９、１０、１１、１２、１３は、折り返された時に折れ線ａ、ａ´、ｃ、ｃ´の近傍のみで端縁が突き合わせ状態となるが、その他の部分では大きく離れ、収納ベース部２、３、４、５と折り返し部６、７、８、９、１０、１１、１２、１３との間に形成されるディスク収納用のポケットに収納されたディスクＯあるいは歌詞カード等の収納物の出し入れを容易に行うことができるように形状および寸法が定められている。
【００５７】
さらに、折り返し部６、７、８、９、１０、１１、１２、１３が収納ベース部２、３、４、５の内面に折り返されたブランク１Ｆ´を折れ線ａ、ａ´、ｂ、ｃ、ｃ´、ｌ、ｌ´、ｍ、ｍ´で蛇腹状に折り畳んで、差込部１５の差し込み片Ｘを収納ベース部５に設けた差し込み口Ｙに差し込み、図１０−ｂに示すようなディスク収納ケースＦを形成する。
【００５８】
つぎに、このディスク収納ケースＥおよびディスク収納ケースＦを製造する方法及び使用方法を説明する。まず、板紙を図８−ａおよび図９−ａに示す形状に打ち抜き、かつ、所定の折れ線ａ、ａ´、ｂ、ｃ、ｃ´、ｄ、ｅ、ｆ、ｇ、ｈ、ｉ、ｊ、ｋ、ｌ、ｌ´、ｍ、ｍ´を形成してブランク１Ｅおよびブランク１Ｆを製造する。
【００５９】
つぎに、そのブランク１Ｅおよびブランク１Ｆの上下の折り返し部６、７、８、９、１０、１１、１２、１３を、図８−ｂおよび図９−ｂに示すように折り返し、収納ベース部２、３、４、５とその上の折り返し部６、７、８、９、１０、１１、１２、１３とが重ねられ、両者の間にディスクＯあるいは歌詞等を収納するポケットが形成される。
【００６０】
ブランク１Ｅおよびブランク１Ｆの上下の折り返し部６、７、８、９、１０、１１、１２、１３の折り返し作業および貼り付け作業等は、手作業あるいは従来行われているサック貼りの技術を用いることにより、容易に実施可能である。
【００６１】
つづいて、ディスク収納ケースＥでは、ブランク１Ｅを図８−ｂに示すブランク１Ｅ´の状態に折り返し部を折り畳んだ後、図１０−ａに示すように、収納ベース部２と収納ベース部３とを折れ線ａ、ａ´で内側に折り曲げ、収納ベース部３と収納ベース部４とを折れ線ｂで外側に折り曲げ、収納ベース部４と収納ベース部５とを折れ線ｃ、ｃ´で内側に折り曲げ、収納ベース部５とカバー部１４とを折れ線ｌ、ｌ´で内側に折り曲げる。つまり、蛇腹状に折り畳んでいく。そして、カバー部１４の先端の両角を、収納ベース部２に設けたカバー部差し込み口Ｕに差し込み固定する。
また、蛇腹状に折り畳んだ後、収納ベース部４に設けた差し込み片Ｖを収納ベース部２と収納ベース部３との間の折れ線ａ上に設けた差し込み口Ｗに差し込む。このことによって、蛇腹状の収納ベース部２、３、４、５が開くことなく、一体の形状を保持することができる。
【００６２】
また、ディスク収納ケースＦでは、ブランク１Ｆを図９−ｂに示すブランク１Ｆ´の状態に折り返し部を折り畳んだ後、図１０−ｂに示すように、収納ベース部２と収納ベース部３とを折れ線ａ、ａ´で内側に折り曲げ、収納ベース部３と収納ベース部４とを折れ線ｂで外側に折り曲げ、収納ベース部４と収納ベース部５とを折れ線ｃ、ｃ´で内側に折り曲げ、収納ベース部５とカバー部１４とを折れ線ｌ、ｌ´で内側に折り曲げ、カバー部１４と差し込み部１５とを折れ線ｍ、ｍ´で内側に折り曲げる。つまり、蛇腹状に折り畳んでいく。そして、差し込み部１５の先端の差し込み片Ｘを、収納ベース部５に設けた差し込み口Ｙに差し込み固定する。このことによって、蛇腹状の収納ベース部２、３、４、５が開くことなく、一体の形状を保持することができる。
【００６３】
かくして、ディスク収納ケースＥおよびディスク収納ケースＦは図１１に示すように折り畳まれた状態となり、その収納ベース部２、３、４、５と折り返し部６、７、８、９、１０、１１、１２、１３とで形成されたディスク収納用のポケットにディスクＯあるいは歌詞カード等を収納する。ディスク収納用のポケットに収納され保持されたディスクＯあるいは歌詞カード等はその両面を収納ベース部２、３、４、５と折り返し部６、７、８、９、１０、１１、１２、１３とで挟まれ、保護される。
【００６４】
このディスク収納ケースＥおよびディスク収納ケースＦを入手した者は、カバー部１４、差し込み片Ｖあるいは差し込み片Ｘをカバー部差し込み口Ｕ、差し込み口Ｗあるいは差し込み口Ｙから外し、内部に収納しているディスクＯや歌詞カード等を取り出して使用し、使用後は、再びそのディスクや歌詞カード等を所定の場所に収納し、再封して保管する。
【００６５】
なお、今まで取り上げた実施例では、収納ケース部の数が４つの場合を取り上げているが、この収納ベース部の数は特に限定されるものではなく、４つ以上とすることもできる。
また、ディスク収納ケースのブランクには、必要に応じ、絵柄、写真、説明文、宣伝文等を印刷することができる。
【００６６】
【発明の効果】
本発明によれば、１枚の平坦な紙製のブランクから作られており、紙を使用することにより、コストダウンを図ると共に、印刷を可能とし、容易に焼却廃棄することの可能とし、かつ、複数枚のディスクを簡単に収納すことが可能で、紙の使用量を少なく、接着加工を行うことなく簡便に作成できる形態のディスク収納ケースを得ることができる。
【図面の簡単な説明】
【図１】本発明のディスク収納ケースの第一の形態の一実施例のブランクを示す概略平面図および折り返し部を折り返した状態を示す概略平面図である。
【図２】本発明のディスク収納ケースの第二の形態の一実施例のブランクを示す概略平面図および折り返し部を折り返した状態を示す概略平面図である。
【図３】本発明のディスク収納ケースの第三の形態の一実施例のブランクを示す概略平面図および折り返し部を折り返した状態を示す概略平面図である。
【図４】本発明のディスク収納ケースの第四の形態の一実施例のブランクを示す概略平面図および折り返し部を折り返した状態を示す概略平面図である。
【図５】図１、図２、図３および図４の折り返し部を折り返した状態のブランク１Ａ、１Ｂ、１Ｃおよび１Ｄをさらに折り畳んだ状態を示す斜視図である。
【図６】折り畳まれた状態の本発明のディスク収納ケースＡ、Ｂ、ＣおよびＤを示す斜視図である。
【図７】本発明のディスク収納ケースを収納する外箱を示す斜視図である。
【図８】本発明のディスク収納ケースの第五の形態の一実施例のブランクを示す概略平面図および折り返し部を折り返した状態を示す概略平面図である。
【図９】本発明のディスク収納ケースの第六の形態の一実施例のブランクを示す概略平面図および折り返し部を折り返した状態を示す概略平面図である。
【図１０】図８、図９の折り返し部を折り返した状態のブランク１Ｅ、１Ｆをさらに折り畳んだ状態を示す斜視図である。
【図１１】折り畳まれた状態の本発明のディスク収納ケースＥ、Ｆを示す斜視図である。
【符号の説明】
Ａ  ディスク収納ケース
Ｂ  ディスク収納ケース
Ｃ  ディスク収納ケース
Ｄ  ディスク収納ケース
Ｅ  ディスク収納ケース
Ｆ  ディスク収納ケース
１Ａ  ブランク（ディスク収納ケースＡ）
１Ｂ  ブランク（ディスク収納ケースＢ）
１Ｃ  ブランク（ディスク収納ケースＣ）
１Ｄ  ブランク（ディスク収納ケースＤ）
１Ｅ  ブランク（ディスク収納ケースＥ）
１Ｆ  ブランク（ディスク収納ケースＦ）
２〜５  収納ベース部
６〜１３  折り返し部
Ｐ  折り曲げ用孔
Ｑ  折り曲げ用孔
Ｒ  凹部
Ｓ  窓部
Ｔ  外箱
Ｕ  カバー部差し込み口
Ｖ  差し込み片
Ｗ  差し込み口
Ｘ  差し込み片
Ｙ  差し込み口
ａ、ａ´ｂ、ｃ、ｃ´、ｌ、ｌ´、ｍ、ｍ´  折れ線（縦方向）
ｅ、ｆ、ｇ、ｈ、ｉ、ｊ、ｋ    折れ線（横方向）
【図１】
0004170539.tif 000002
【図２】
0004170539.tif 000003
【図３】
0004170539.tif 000004
【図４】
0004170539.tif 000005
【図５】
0004170539.tif 000006
【図６】
0004170539.tif 000007
【図７】
0004170539.tif 000008
【図８】
0004170539.tif 000009
【図９】
0004170539.tif 000010
【図１０】
0004170539.tif 000011
【図１１】
0004170539.tif 000012